(57)【要約】【課題】掃除機本体を着脱可能に構成すると共に、縦型として使用する時の排気還流用の別部品が不要となり、低コスト化と省スペース化が図れる縦型掃除機を提供する。【解決手段】電動送風機１１や集塵部１２を有する掃除機本体１と集塵部１２に連通するホースとが床用吸込具３１や操作用ハンドル３２を有するスティック部３に着脱可能に取り付けられると共に、掃除機本体１をスティック部３に取り付けた状態で、電動送風機１１からの排気を流す排気流路１０に、床用吸込具３１の吸込口３１１へ排気を還流する還流路３７を直結する還流路連結部４を備えた。【選択図】        図２
2005040244.tif 000002
【特許請求の範囲】
【請求項１】
電動送風機や集塵部を有する掃除機本体と前記集塵部に連通するホースとが床用吸込具や操作用ハンドルを有するスティック部に着脱可能に取り付けられると共に、前記掃除機本体をスティック部に取り付けた状態で、前記電動送風機からの排気を流す排気流路に、前記床用吸込具の吸込口へ排気を還流する還流路を直結する還流路連結部を備えたことを特徴とする縦型掃除機。
【請求項２】
前記還流路連結部は、前記掃除機本体側取付面に形成されて電動送風機からの排気を排出する排気口と、前記還流路が設けられたスティック部側取付面に形成されて前記掃除機本体をスティック部に取り付けた状態で前記本体側排気口に連結される還流路連結口とから成ることを特徴とする請求項１記載の縦型掃除機。
【請求項３】
前記掃除機本体側の排気口又はスティック部側の還流路連結口のいずれか一方の開口周縁に、他方の開口周縁が密着当接するように突出させたことを特徴とする請求項２記載の縦型掃除機。
【請求項４】
前記掃除機本体側の排気口又はスティック部側の還流路連結口のいずれか一方の開口周縁にパッキンを装着し、他方の開口周縁が前記パッキンに密着当接するように突出させたことを特徴とする請求項２記載の縦型掃除機。
【請求項５】
前記掃除機本体側の排気口又はスティック部側の還流路連結口のいずれか一方を突出させ、他方の開口に密着嵌合する形状に形成したことを特徴とする請求項２記載の縦型掃除機。
【請求項６】
前記掃除機本体側の排気口とスティック部側の還流路連結口とを突出させて互いに密着嵌合する形状に形成したことを特徴とする請求項２記載の縦型掃除機。
【発明の詳細な説明】
【０００１】
【発明の属する技術分野】
本願発明は、縦型（アップライト型）掃除機に係わり、特に掃除機本体が比較的小型軽量のスティック型と呼ばれる縦型掃除機に関するものである。
【０００２】
【従来の技術】
従来、この種の縦型掃除機は、一般的に、床用吸込具や操作用ハンドルを有するスティック部が電動送風機や集塵部を有する掃除機本体に一体に構成されており、掃除機本体を着脱することはできなかった。
【０００３】
なお、床移動型（キャニスタータイプ）としての使用と縦型（アップライトタイプ）としての使用を可能とする電気掃除機は知られている（例えば、特許文献１，２参照）。
【０００４】
【特許文献１】
特開平８−５０６号公報（図１、図２、図１６、図１８、図２３）
【特許文献２】
特開平８−３３５９１号公報（図１〜図７）
【０００５】
【発明が解決しようとする課題】
ところが、掃除機本体を着脱できない一般的な縦型掃除機では、ベットの下や家具の上などの部屋の上方や階段等を容易に掃除できないという課題があった。
【０００６】
また、上記特許文献１，２に記載されたような床移動型としての使用と縦型としての使用を可能とする電気掃除機においては、掃除機本体を取り外すことができ、特許文献１の図２３や特許文献２の図１には、縦型として使用される時に、掃除機本体からの排気をホースを介して床用吸込具に還流させるようにしたものが示されているが、吸込用のホースとは別部品となる排気還流用のホースが必要となるので、コスト高になると共にその分のスペースが必要となる。
【０００７】
そこで、本願発明はこのような課題を解決するためになされたものであり、掃除機本体を着脱可能に構成すると共に、縦型として使用する時の排気還流用の別部品が不要となり、低コスト化と省スペース化が図れる縦型掃除機を提供することを目的とするものである。
【０００８】
【課題を解決するための手段】
上記のような目的を達成するために、本願発明は、電動送風機や集塵部を有する掃除機本体と前記集塵部に連通するホースとが床用吸込具や操作用ハンドルを有するスティック部に着脱可能に取り付けられると共に、前記掃除機本体をスティック部に取り付けた状態で、前記電動送風機からの排気を流す排気流路に、前記床用吸込具の吸込口へ排気を還流する還流路を直結する還流路連結部を備えたことを特徴とするものである。
【０００９】
また、前記還流路連結部は、前記掃除機本体側取付面に形成されて電動送風機からの排気を排出する排気口と、前記還流路が設けられたスティック部側取付面に形成されて前記掃除機本体をスティック部に取り付けた状態で前記本体側排気口に連結される還流路連結口とから成ることを特徴とするものである。
【００１０】
そして、前記掃除機本体側の排気口又はスティック部側の還流路連結口のいずれか一方の開口周縁に、他方の開口周縁が密着当接するように突出させたことを特徴とするものである。
【００１１】
さらに、前記掃除機本体側の排気口又はスティック部側の還流路連結口のいずれか一方の開口周縁にパッキンを装着し、他方の開口周縁が前記パッキンに密着当接するように突出させたことを特徴とするものである。
【００１２】
一方、前記掃除機本体側の排気口又はスティック部側の還流路連結口のいずれか一方を突出させ、他方の開口に密着嵌合する形状に形成したことを特徴とするものである。
【００１３】
さらに、前記掃除機本体側の排気口とスティック部側の還流路連結口とを突出させて互いに密着嵌合する形状に形成したことを特徴とするものである。
【００１４】
【発明の実施の形態】
以下、本願発明の実施形態を図面を参照して詳細に説明する。
【００１５】
図１〜図６は本願発明による縦型掃除機の一実施形態の構成及び作用を示す図であり、このスティック型と呼ばれる縦型掃除機の基本的構成は、電動送風機１１や集塵部１２やコードリール１３を有する掃除機本体１と前記集塵部１２に連通するホース２とが床用吸込具３１や操作用ハンドル３２を有するスティック部３に着脱可能に取り付けられると共に、前記掃除機本体１をスティック部３に取り付けた状態で、前記電動送風機１１からの排気を流す排気流路１０に、前記床用吸込具３１の吸込口３１１へ排気を還流する後述の還流路３７を直結する還流路連結部４を備えたものである。
【００１６】
具体的に説明すると、比較的小型軽量（ここでは約３Ｋｇ）の掃除機本体１には図２に示すように、下部側から、サイクロン方式等の着脱可能な集塵部１２、モータ１１１と送風機１１２が一体化されてモータ１１１を上側にして配置された電動送風機１１、そのすぐ上に配置されて電動送風機１１の電源コード１３１を巻き取るコードリール１３、このコードリール１３の上部側に前後方向に形成された手持ち用ハンドル１４が配置されている。すなわち、手持ち用ハンドル１４が最上部に配置されると共に、着脱可能な集塵部１２が最下部に配置されている。また、掃除機本体１の下部には上記集塵部１２に連通するホース２が取り付けられている。
【００１７】
一方、スティック部３は高さ方向中程に設けられた回動部３３から上方の操作用ハンドル３２が後側に折り畳み可能に構成され、上端部にグリップ部３２１が形成された操作用ハンドル３２を後側に折り畳むことによりコンパクトに収納できるようになっている。また、スティック部３の下端には、底面側に吸込口３１１を有して回転ブラシ（図示せず）や前輪３１２及び後輪３１３等を備えた床用吸込具３１が回動可能に取り付けられており、掃除の際には床用吸込具３１の底面側が被掃除面に接触した状態でスティック部３が後方に傾倒可能に構成されている。
【００１８】
また、スティック部３の内側には、床用吸込具３１からの塵埃を含んだ空気の吸気管３４が形成され、この吸気管３４に連通してスティック部３の側面にホース２先端の吸込筒（図示せず）を着脱可能に差し込むための差込口３５が形成されている。また、吸気管３４の外側には、スティック部３の前面側に形成されて掃除機本体１の背面側に開口する排気口１５周縁に密着当接して連結される突出した還流路連結口３６に連通して、床用吸込具３１の吸込口３１１に排気を還流する排気還流路３７が形成されている。本実施形態においては、図２（ｂ）に拡大図示したように、掃除機本体１側の排気口１５周縁にはパッキン１６が装着されており、このパッキン１６にスティック部３側から突出するように形成された筒状の還流路連結口３６が密着当接することにより、気密性が向上するように構成されている。ここで、パッキン１６が装着された排気口１５と還流路連結口３６は還流路連結部４を構成する。
【００１９】
また、本実施形態では、掃除機本体１の下部背面側にスティック部３の下部両側を挟むような一対のリブ１７を設け、スティック部３の下部両側には凸部３８を形成して、これらの凸部３８に両側リブ１７の内側に対応して形成した凹部１７ａ（図６参照）が載置係合するようにして、スティック部３に掃除機本体１を取り付ける際の位置決め機能と掃除機本体１の支持機能を実現している。
【００２０】
上記掃除機本体１は、その最上部に形成された手持ち用ハンドル１４を持って、掃除機本体１の下部背面側に形成された両側のリブ１７でスティック部３の下部両側を挟むようにしてスティック部３側凸部３８にリブ１７側凹部１７ａを載置係合してから、掃除機本体１の上部背面側を対応するスティック部３の前面側にクランプ１８で係止することにより取り付けられ、このクランプ１８の係止状態をボタン操作等で解除することにより取り外すことができるようにして、容易に着脱できるように構成されている。
【００２１】
また、集塵部１２は、掃除機本体１の底部に形成された集塵部ガイド１９の前端と集塵部１２の前面側下部に形成された係合部２０を係合させて集塵部１２底面を集塵部ガイド１９上に載置してから、集塵部１２の前面側上部に取り付けられたクランプ１２１を掃除機本体１側の係止部１２２に係止することにより取り付けられ、このクランプ１２１の係止状態をボタン操作等によって解除することにより取り外すことができるように構成されている。なお、上記集塵部ガイド１９と前記両側リブ１７は底面側が連続した水平になるように形成されている。
【００２２】
また、コードリール１３が配置された掃除機本体１の上部側面には、コードリール１３に巻かれた電源コード１３１を引き出すと共にコードリール１３に巻き取られるときに電源プラグ１３２が本体１内に入り込むのを防ぐストッパー（図示せず）を有するコード引出口１３３が形成されている。
【００２３】
以上の構成において、通常の縦型掃除機としての使用時の吸排気の流れは以下のようになる。すなわち、電動送風機１１が駆動することにより、床用吸込具３１の吸込口３１１から塵埃と共に吸い込まれた空気は、スティック部３内の吸気管３４を通って、ホース差込口３５を介してホース２内を通り、掃除機本体１に装着された集塵部１２内に吸い込まれる。
【００２４】
集塵部１２内で塵埃が除去された空気は、電動送風機１１の送風機１１２に吸い込まれ、さらにモータ１１１を冷却してから排出される。電動送風機１１から排出された排気の一部は掃除機本体１の背面側の排気口１５から還流路連結口３６，還流路３７を介して床用吸込具３１に還流され、その吸込口３１１から絨毯等の被掃除面に吹き付けられることにより、絨毯等に付着した塵埃を効率良く吸い込むことができるようになる。
【００２５】
本実施形態においては、掃除機本体１側の排気口１５とスティック部３側の還流路連結口３６とを直結するようにしているので、前記特許文献１の図２３や特許文献２の図１に示されたような連結用のホースが不要となり、低コスト化や省スペース化を図ることができる。また、掃除機本体１側の排気口１５とスティック部３側の還流路連結口３６はそれぞれの取付面に形成されているので、比較的簡単な構成で容易に実現することができる。また、掃除機本体１側の排気口１５の周縁にスティック部３側から突出する還流路連結口３６が密着当接する構成であるので、掃除機本体１の着脱に影響を及ぼすこともない。さらに、スティック部３側から突出する還流路連結口３６が密着当接する本体１側排気口１５の周縁にはパッキン１６が装着されているので、気密性が向上する。なお、上記とは逆に、本体１側の排気口１５を突出させ、スティック部３側の還流路連結口３６の開口周縁にパッキン１６を装着するようにしても、上記と同様な作用効果が得られる。
【００２６】
一方、電動送風機１１からの排気の残りは、コードリール１３に吹き付けられ、それに巻かれた電源コード１３１を冷却してから、掃除機本体１の側面等に形成された排気孔（図示せず）から外部に排出される。
【００２７】
また、ベットの下等の掃除を行う場合は、スティック部３に掃除機本体１が取り付けられたままでは掃除機本体１が邪魔になって掃除できないので、手持ち用ハンドル１４を片手で持って掃除機本体１を図３に示すようにスティック部３から取り外し、ホース２はスティック部３に取り付けたままとする。そして、掃除機本体１が取り外されたスティック部３の操作用ハンドル３２のグリップ部３２１をもう一方の手で持ってスティック部３を後方に倒しながら床用吸込具３１をベットの下等に挿入することにより、容易に掃除を行うことができる。また、このような掃除の途中では被掃除面にある物を動かす等のために掃除機本体１を一時的に床面に置くような場合があるが、本実施形態では、掃除機本体１の底面を構成する集塵部ガイド１９の底面と両側から後方に延びる本体１着脱用のリブ１７の底面が連続した水平となるように構成して、接地面積を広くし安定性を増すようにしているので、倒れるようなことはない。
【００２８】
また、家具の上などの部屋の上方や階段等を掃除する場合は、掃除機本体１と共にホース２もスティック部３から取り外して、片手で手持ち用ハンドル１４を持ち、もう一方の手でホース２先端を持ってホース２先端の吸込筒やこれに装着できる隙間用ノズル等を用いて、家具の上などの部屋の上方や階段等も容易に掃除することができる。このような使用形態においても、前記と同様な作用効果が得られる。
【００２９】
また、本実施形態では、コードリール１３を掃除機本体１の上部側に配置したことで、電源コード１３１の引出口１３３も掃除機本体１の上部側に形成できるので、電源コード１３１が床用吸込具３１や使用者の足等と交錯しにくくなると共に、電源コード１３１の引き出しも容易になる。また、コードリール１３が電動送風機１１のすぐ上に配置されているので、電動送風機１１からの排気による電源コード１３１の冷却が容易となる。
【００３０】
図７〜図１１は、本願発明による縦型掃除機の他の実施形態の構成及び作用を示す図であり、前記実施形態と同一符号は同一又は相当部分を示している。
【００３１】
前記実施形態では、掃除機本体１に開口部だけを形成した排気口１５の周縁にパッキン１６を装着して、スティック３側から突出させた還流路連結口３６をパッキン１６に密着当接させたが、本実施形態では図８に示すように、掃除機本体１側から突出させた筒状の排気口１５をスティック３側から突出させた筒状の還流路連結口３６内に差し込むようにして互いに密着嵌合するように構成したものである。
【００３２】
以上のように構成することにより、前記実施形態のようなパッキン１６を用いなくても気密性が向上する共に、掃除機本体１の両側リブ１７による位置決め機能と掃除機本体１の支持機能を補助する作用がある。なお、上記のような嵌合による還流路連結部４の強度を高めれば、両側リブ１７を不要とすることもできる。また、上記とは逆に、スティック３側から突出させた筒状の還流路連結口３６を掃除機本体１側から突出させた筒状の排気口１５内に差し込むようにして互いに密着嵌合するように構成しても、上記と同様な作用効果が得られる。また、掃除機本体１側の排気口１５又はスティック部３側の還流路連結口３６のいずれか一方を突出させ、他方の開口に密着嵌合するようにしても、比較的簡単な構成で容易に実現することができると共に、掃除機本体１取り付け時の位置決め機能と掃除機本体１の支持機能を高めることができる。
【００３３】
その他の構成は前記実施形態とほぼ同様であり、これらに関しては、前記実施形態とほぼ同様な作用効果が得られる。
【００３４】
【発明の効果】
以上のように本願発明によれば、電動送風機や集塵部を有する掃除機本体と前記集塵部に連通するホースとが床用吸込具や操作用ハンドルを有するスティック部に着脱可能に取り付けられると共に、前記掃除機本体をスティック部に取り付けた状態で、前記電動送風機からの排気を流す排気流路に、前記床用吸込具の吸込口へ排気を還流する還流路を直結する還流路連結部を備えたことにより、従来のような連結用のホースが不要となり、低コスト化や省スペース化を図ることができる。
【００３５】
また、前記還流路連結部は、前記掃除機本体側取付面に形成されて電動送風機からの排気を排出する排気口と、前記還流路が設けられたスティック部側取付面に形成されて前記掃除機本体をスティック部に取り付けた状態で前記本体側排気口に連結される還流路連結口とから成るものであるから、比較的簡単な構成で容易に実現することができる。
【００３６】
そして、前記掃除機本体側の排気口又はスティック部側の還流路連結口のいずれか一方の開口周縁に、他方の開口周縁が密着当接するように突出させることにより、掃除機本体１の着脱に影響を及ぼすこともなくなる。
【００３７】
さらに、前記掃除機本体側の排気口又はスティック部側の還流路連結口のいずれか一方の開口周縁にパッキンを装着し、他方の開口周縁が前記パッキンに密着当接するように突出させることにより、気密性が向上する。
【００３８】
一方、前記掃除機本体側の排気口又はスティック部側の還流路連結口のいずれか一方を突出させ、他方の開口に密着嵌合する形状に形成することによっても、比較的簡単な構成で容易に実現することができると共に、掃除機本体取り付け時の位置決め機能と掃除機本体の支持機能を高めることができる。
【００３９】
さらに、前記掃除機本体側の排気口とスティック部側の還流路連結口とを突出させて互いに密着嵌合する形状に形成することにより、上記のようなパッキンを用いなくても気密性が向上すると共に、掃除機本体取り付け時の位置決め機能と掃除機本体の支持機能を高めることができる。
【図面の簡単な説明】
【図１】本願発明による縦型掃除機の一実施形態の側面図。
【図２】同じく、その内部構成を示すための側断面図であり、（ａ）は全体図、（ｂ）は要部拡大断面図である。
【図３】上記図１のスティック部から掃除機本体を取り外した状態を示す側面図。
【図４】同じく、掃除機本体を示す図で、（ａ）は側面図、（ｂ）は背面図である。
【図５】同じく、スティック部の要部を示す図で、（ａ）は正面図、（ｂ）は側面図である。
【図６】同じく、スティック部から掃除機本体を取り外した状態を示す側断面図。
【図７】本願発明による縦型掃除機の他の一実施形態の側面図。
【図８】同じく、その内部構成を示すための側断面図であり、（ａ）は全体図、（ｂ）は要部拡大断面図である。
【図９】上記図１のスティック部から掃除機本体を取り外した状態を示す側面図。
【図１０】同じく、掃除機本体を示す図で、（ａ）は側面図、（ｂ）は背面図である。
【図１１】同じく、スティック部の要部を示す図で、（ａ）は正面図、（ｂ）は側面図である。
【符号の説明】
１  掃除機本体
１０  排気流路
１１  電動送風機
１２  集塵部
１３  コードリール
１４  手持ち用ハンドル
１５  排気口
１６  パッキン
１７  リブ
２  ホース
３  スティック部
３１  床用吸込具
３２  操作用ハンドル
３３  回動部
３４  吸気管
３５  差込口
３６  還流路連結口
３７  排気還流路
３８  凸部
４    還流路連結部
【図１】
2005040244.tif 000003
【図２】
2005040244.tif 000004
【図３】
2005040244.tif 000005
【図４】
2005040244.tif 000006
【図５】
2005040244.tif 000007
【図６】
2005040244.tif 000008
【図７】
2005040244.tif 000009
【図８】
2005040244.tif 000010
【図９】
2005040244.tif 000011
【図１０】
2005040244.tif 000012
【図１１】
2005040244.tif 000013